(57)【要約】【課題】  インクカートリッジ交換方式のプリンタを記録部に有するホームファクシミリ装置において、インクカートリッジ交換の操作性を向上し、構成が簡単でコストの低い装置を提供することである。【解決手段】  原稿搬送手段と、記録シート搬送手段と、原稿読取手段と、情報を表示し回動可能な表示手段と、インクカートリッジ交換方式の記録装置を記録部に有する読取記録装置であって、前記表示手段下方に回動可能で前記記録部を覆うカバー部材が配置され、前記表示手段と前記カバー部材を上方に回転させることにより、前記インクカートリッジを装置外部に取り出し交換可能であることを特徴とする読取記録装置。【選択図】  図１
2006245766.tif 000002
【特許請求の範囲】
【請求項１】
原稿搬送手段と、記録シート搬送手段と、原稿読取手段と、情報を表示し回動可能な表示手段と、インクカートリッジ交換方式の記録装置を記録部に有する読取記録装置であって、前記表示手段下方に回動可能で前記記録部上方を覆うカバー部材が配置されている読取記録装置において、
前記表示手段と前記カバー部材を上方に回転させて前記インクカートリッジ上方を開放することにより前記インクカートリッジを装置外部に取り出し交換可能であることを特徴とする読取記録装置。
【請求項２】
原稿搬送手段と、記録シート搬送手段と、原稿読取手段と、情報を表示し回動可能な表示手段と、情報を入力する操作手段と、インクカートリッジ交換方式の記録装置を記録部に有する読取記録装置であって、前記表示手段下方に回動可能で前記記録部を覆うカバー部材が配置され、前記カバー部材下方に前記記録部が配置されている読取記録装置において、
前記表示手段と前記カバー部材を上方に回転させて前記インクカートリッジ上方を開放することにより前記インクカートリッジを装置外部に取り出し交換可能であることを特徴とする読取記録装置。
【請求項３】
前記カバー部材は、前記記録部の前記インクカートリッジが待機動作中に位置する所と反対側に配置されていることを特徴とする請求項２に記載の読取記録装置。
【請求項４】
前記カバー部材は原稿セット時に幅方向の規制を行う原稿幅規制手段よりも装置前方に位置することを特徴とする請求項３に記載の読取記録装置。
【請求項５】
前記４に記載の読取記録装置を有するファクシミリ装置。
【請求項６】
装置左から受話装置、表示部、操作部の順に配置されていることを特徴とする請求項５に記載のファクシミリ装置。
【発明の詳細な説明】
【技術分野】
【０００１】
本発明は、インクカートリッジ交換方式のプリンタを記録部に有するファクシミリ装置に関するものである。
【背景技術】
【０００２】
現在オフィスだけでなく家庭でもファクシミリの普及が進んでいる。家庭向けファクシミリでは、モノクロ画像の送受信を行う機能だけでなく、カラー画像の送受信を行う機能、パーソナルコンピュータと接続してコンピュータから送られたデータを記録するプリンタ機能、デジタルカメラで撮影された画像をメモリーカードを介してカラーでプリントする機能、インターネットに接続して種々の情報を獲得するインターネット接続機能など多彩な機能を有するファクシミリが発売されている。近年登場してきた多機能ファクシミリでは、得られた画像や情報をカラーで記録することのできる記録部が必要とされている。
【０００３】
上記のような状況の中で、インクジェットプリンタを記録部に有するホームファクシミリが注目されている。インクジェットプリンタを記録部に有するファクシミリは、記録装置を変更することなく、モノクロインクカートリッジをカラーインクカートリッジに交換してセットするだけで容易にカラー画像情報を記録することが出来る利点を有している。
【０００４】
又、従来例としては、例えば特許文献１と特許文献２をあげることが出来る。
【特許文献１】特開２００２−２６１９９９号公報
【特許文献２】特開２００４−８２４７８号公報
【発明の開示】
【発明が解決しようとする課題】
【０００５】
家庭向けファクシミリは、操作が容易でわかりやすいこと、家のなかで邪魔にならないよう小型であることが必要である。上記の条件を満たすため、従来のインクジェットプリンタを記録部に有するファクシミリは以下に記す構成となっている。従来のインクカートリッジ交換方式のプリンタを記録部に有するホームファクシミリ装置の斜視図を図１０に示す。２０００が従来のホームファクシミリ装置の一例である。図１１に従来のファクシミリ装置の略断面図を示す。ファクシミリ装置２０００の装置上部に装置全体を覆うように操作部２００１が配置されている。装置全体を覆うように操作部２００１を配置して操作キーおよび情報を表示する表示部を大きくしたことにより、文字の判別が容易で操作が容易な構成となっている。操作部２００１の下でかつ装置前方に原稿の画像を読み取る読み取り部２００２、操作部２００１の下で読取部２００２の後方に画像を記録する記録部２００３が配置されている。２００５がインクカートリッジである。
【０００６】
従来のインクカートリッジ交換方式のプリンタを記録部に有する家庭向けファクシミリ装置では、インクカートリッジ交換時に以下の問題点があった。
【０００７】
従来インクカートリッジ２００５を交換する場合、記録部２００３が操作部２００１の下部にあるために、操作部２００１を上方に持ち上げ、記録部の上部にあるカートリッジ交換カバー２００４を開いてインクカートリッジの上方を開放した後に、使用者がインクカートリッジを取り出してカラーインクカートリッジに交換するという手順で交換を行う必要があった。図１２にカートリッジ交換時に操作部２００１を上方に開いたときの装置斜視図を、図１３にカートリッジ交換時の装置の略断面図記す。ファクシミリ装置の操作部は、液晶表示装置、操作キー、操作基板、受話装置などから構成されている。インクカートリッジ交換のために前記の操作部すべてを上方に持ち上げるのは重く操作性が悪いという問題点があった。
【０００８】
また従来のインクカートリッジ交換方法であると、操作部を上方に開いた状態で保持する機構と、閉める際に操作部が滑らかにゆっくりと閉じるダンパ機能が必要であった。従来の装置では狭いスペースの中でダンパ機能を構成するために、オイルダンパ、バネクラッチなどを利用してこの機能を実現していたが、前記の部品を使用してダンパ機能を構成した場合コストが高くなるという問題点があった。
【０００９】
本発明は上記の従来技術の課題を解決するためになされたもので、その目的とするところは、インクカートリッジ交換方式のプリンタを記録部に有するホームファクシミリ装置において、インクカートリッジ交換の操作性を向上し、構成が簡単でコストの低い装置を提供することである。
【課題を解決するための手段】
【００１０】
上記目的を達成するために本発明にあっては、原稿搬送手段と、記録シート搬送手段と、原稿読取手段と、情報を表示し回動可能な表示手段と、インクカートリッジ交換方式の記録装置を記録部に有する読取記録装置であって、前記表示手段下方に回動可能で前記記録部上方を覆うカバー部材が配置されている読取記録装置において、前記表示手段と前記カバー部材を上方に回転させて前記インクカートリッジ上方を開放することにより前記インクカートリッジを装置外部に取り出し交換可能であることを特徴とする。
【００１１】
原稿搬送手段と、記録シート搬送手段と、原稿読取手段と、情報を表示し回動可能な表示手段と、情報を入力する操作手段と、インクカートリッジ交換方式の記録装置を記録部に有する読取記録装置であって、前記表示手段下方に回動可能で前記記録部を覆うカバー部材が配置され、前記カバー部材下方に前記記録部が配置されている読取記録装置において、前記表示手段と前記カバー部材を上方に回転させて前記インクカートリッジ上方を開放することにより前記インクカートリッジを装置外部に取り出し交換可能であることを特徴とする。
【００１２】
前記カバー部材は、前記記録部の前記インクカートリッジが待機動作中に位置する所と反対側に配置されていることが好適である。
【００１３】
前記カバー部材は原稿セット時に幅方向の規制を行う原稿幅規制手段よりも装置前方に位置することが好適である。
【００１４】
原稿搬送手段と、記録シート搬送手段と、原稿読取手段と、情報を表示し回動可能な表示手段と、情報を入力する操作手段と、インクカートリッジ交換方式の記録装置を記録部に有する読取記録装置であって、前記表示手段下方に回動可能で前記記録部を覆うカバー部材が配置され、前記カバー部材下方に前記記録部が配置されているファクシミリ装置において、前記表示手段と前記カバー部材を上方に回転させて前記インクカートリッジ上方を開放することにより前記インクカートリッジを装置外部に取り出し交換可能であることを特徴とする。
【００１５】
前記ファクシミリ装置左から受話装置、表示部、操作部の順に配置されていることを特徴とする。
【発明の効果】
【００１６】
以上説明したように、インクカートリッジ交換方式のインクジェットプリンタを記録部に有するファクシミリ装置において、インクカートリッジの交換ポジションを表示部の下方に配置し、表示部を回動可能であり、カートリッジ交換蓋をインクカートリッジ交換ポジションの上方かつ表示部の下方に配置したことで、インクカートリッジを交換する際、操作部全体を持ち上げることなく、表示部とカートリッジ交換蓋のみを上方に回転させることでインクカートリッジを交換することが可能である。インクカートリッジ交換時に操作部を上方に回転させる必要がないため、操作部の保持機構、ダンパ機能を省くことが出来、コストの低い装置を提供することが出来る。
【００１７】
またカートリッジ交換ポジションをインクカートリッジホームポジションと反対側にしたことで、インクカートリッジ交換時に、使用者がインクカートリッジの高温部に触ることを防ぐことが出来る。
【００１８】
また原稿の幅方向を規制するスライダ部材をカートリッジカバーの後方に配置したことで、原稿幅規制機構を原稿搬送部から分割せずに構成することが出来、安定した原稿搬送が可能である。
【００１９】
また表示部の左かつ装置の左端に受話装置を表示部の右に操作キーをまとめて配置したことにより、操作キーを探すのが容易であり、表示部を見ながらの操作が容易な構成となっている。
【００２０】
さらに、表示部に操作キーの機能を割り当てることで、使用する機能に応じた操作キーを表示部上に表示し割り当てることが出来る。使用者が操作に必要なキー操作部全体を探して迷うことがなく、容易に操作方法や使用するキーを判別することが出来る。
【発明を実施するための最良の形態】
【００２１】
以下に図面を参照して、この発明の好適な実施の形態を例示的に詳しく説明する。ただし、この実施の形態に記載されている構成部品の寸法、材質、形状、その相対配置などは、特に特定的な記載がない限りは、この発明の範囲をそれらのみに限定する趣旨のものではない。
【実施例１】
【００２２】
図１〜図５を参照して、実施の形態について説明する。図１はファクシミリ装置の斜視図であり、図２はファクシミリ装置の略断面図である。図３は読取部を取り出したときの略断面図、図４は表示部を起こして立てたときの装置斜視図、図５はインクカートリッジ取り出し時の装置略斜視図、図６はインクカートリッジ取り出し時の装置略断面図である。
【００２３】
ファクシミリ装置１は、公衆電話回線と接続し電話の通話を行う電話機能とファクシミリの送信及び受信を行うファクシミリ機能、原稿から読み取った画像を記録シートに記録するコピー機能、接続されたコンピュータから送られたデータに基づいてプリントするＰＣプリント（プリンタ）機能、を有するファクシミリ装置である。
【００２４】
図中、３００は表示手段としての表示部である。受話装置２１８の右側に配置されている。ＬＣＤパネルからなり、操作部での入力内容や電話、ファクシミリ送受信における動作内容、電子メールの内容、ホームページの内容をユーザに対して表示する。また表示部３００は図２の３００ａを回転中心として回動可能であり、ユーザが表示を見るのに適した位置で保持することが可能な構成となっている。
【００２５】
２０１はテキストデータ入力手段としてのダイヤルキーである。表示部３００の右側に配置されている。漢字、かな文字、英字あるいは数字の入力に対応しているキーが設けられている。テキストデータによるダイヤル情報や、テキストデータによる名前などの電話帳登録を行うためのキーである。
【００２６】
２０２は決定キー、２０３は選択キーである。表示部３００の下方でダイヤルキー２０１の左側に位置している。
【００２７】
選択キー２０３は登録や設定する項目を選ぶときや、電話帳で相手を選ぶときに使用する。また表示部３００に表示した画像をスクロールさせるときにも使用するキーである。
【００２８】
決定キー２０２は選択キー２０３を使用し、選んだ登録や設定する項目を登録操作するときに使用する。
【００２９】
２０５はストップキーである。表示部３００の下方で、ダイヤルキー２０１の左側に位置している。操作を途中で止めるとき使用する。
【００３０】
２０６は消去キーである。表示部３００の下方で、ダイヤルキー２０１の左側に位置している。ダイヤルキー２０１で入力した数字、かな文字、英字の入力間違いや消去したいときなどに入力を打ち消すためのキーである。
【００３１】
２０７はＰＣプリントキーである。装置の右端に位置している。パーソナルコンピュータとファクシミリ装置１をケーブルで接続し、ＰＣプリントキー２０７を押下することにより、ＰＣプリントモードに移行する。パーソナルコンピュータからケーブルを通じて送られたデータを記録部３１で記録することが出来る。
【００３２】
ファクシミリ装置１には図示しないＵＳＢポートが有り、このＵＳＢポートとパーソナルコンピュータのＵＳＢポートをＵＳＢケーブルで接続することにより、パーソナルコンピュータからデータを送信することが可能になる。
【００３３】
２０８はコピーキーである。装置の右端に位置している。コピー機能を使用する際は、このキーを使用する。記録シート１１を記録シート積載台１２上にセットし、原稿１０を記録シートカバー１２ａ上にセットした状態でコピーキー２０８を押下することにより、コピー動作が行われる。
【００３４】
２０９はファクシミリ送信キー、２１０はファクシミリ受信プリントキーである。装置の右端に位置している。記録シートカバー１２ａ上に原稿１０をセットし、ダイヤルキー２０１で相手方のファクシミリ番号を入力し、ファクシミリ送信キー２０９を押下することによりファクシミリ送信が行われる。ファクシミリ受信プリントキー２１０は手動でファクシミリを受信する際、あるいはファクシミリを自動受信（メモリー受信）した後に、記録シート１１にプリントする際に押下するキーである。
【００３５】
ＰＣプリントキー２０７はＰＣプリント機能を利用するときのみ、コピーキー２０８はコピー機能を利用するときのみ、ファクシミリ送信キー２０９およびファクシミリ受信プリントキー２１０はファクシミリ機能を使用するときのみ使用するキーである。
【００３６】
２１３はインクカートリッジ交換キーであり、インクカートリッジを新しいものに交換する場合や、モノクロからカラーカートリッジに交換する場合に使用するキーである。
【００３７】
図１〜図４において、ファクシミリ装置１の後部に原稿挿入口３が配置され、さらにその手前に操作部４が配置されている。
【００３８】
また、原稿挿入口３には原稿幅方向に所定の範囲内でスライドする一対の原稿幅規制ガイド５が設けられている。原稿挿入口３の背後の記録シート挿入口２には記録シート幅方向に所定の範囲内でスライドする一対の記録シート幅規制ガイド６が図示のように設けられている。これらの原稿幅規制ガイド５及び記録シート幅規制ガイド６は装置使用者が操作し易い形状となっている。
【００３９】
また、原稿積載台を兼ねる記録シートカバー１２ａが装置本体の後方に配置されており、記録シート挿入口２からごみなどの異物が内部に侵入し、さらに記録シート搬送路にこれら異物が入って、各種ローラ表面に付着することにより記録シートの分離性能や搬送性能に悪影響を与えるのを防止できる構成となっている。５０は上原稿ガイド、５１は下原稿ガイドである。上原稿ガイド５０は原稿搬送時に原稿の上方向への移動を規制するガイド部材であり、下原稿ガイド５１は原稿搬送時に原稿の下方向への移動を規制するガイド部材である。前記スライダ５は下原稿ガイドに取り付けられている。
【００４０】
次に原縞１０及び記録シート１１の搬送について説明する。
【００４１】
まず、原稿１０の搬送について説明する。図２において原稿挿入口３に原稿１０が挿入されると、図示しない原稿有無検知センサーにより装置の制御部へ信号が送られ、装置は原稿有りの状態であることを認識する。さらに原稿１０は原稿分離ローラ１７に到達する位置まで挿入される。
【００４２】
ここで、操作部４上のキーを押下することにより、図示しない読取駆動系が作動し、原稿１０は原稿分離ローラ１７により一枚ずつ分離される。
【００４３】
分離された原稿１０は回転する原稿分離ローラ１７により原稿搬送路１９を搬送され、原稿給紙ローラ２０ａと原稿給紙コロ２０ｂからなる原稿給紙ローラ対２０の位置まで搬送される。
【００４４】
原稿給紙コロ２０ｂは押圧ばね２１により原稿給紙ローラ２０ａに押圧される方向に付勢力を受けており、原稿１０が原稿給紙ローラ２０ａの回転により適正な搬送力で搬送されるように押圧ばね２１の付勢力が調整されている。
【００４５】
さらに原稿１０は原稿給紙ローラ対２０により搬送され、読取デバイス２２により画情報読取動作が開始される。
【００４６】
原稿画情報読取動作が進むに連れて原稿１０は図２において左方向に搬送されて、原稿１０は原稿給紙ローラ対２０と、原稿排紙ローラ２３ａと原稿排紙コロ２３ｂからなる原稿排紙ローラ対２３とによって搬送されるようになる。
【００４７】
原稿排紙ローラ２３ａは図示しない押圧ばねにより原稿排紙コロ２３ｂを押圧する方向に付勢力を受けている。
【００４８】
画情報読取動作が終了すると、さらに原稿１０は原稿排紙ローラ対２３により図２において左方向に搬送されて原稿排出口２４から機外に排出される。
【００４９】
ここで、原稿搬送路１９は水平に対して傾きを持っており、原稿搬送上流側が下流側に対して上方に配置され、また記録シートカバー１２ａは原稿後端部まで適切にガイドして、原稿搬送全般において安定した搬送性を実現する構成となっている。
【００５０】
また、読取デバイス２２と原稿排紙コロ２３ｂからなる読取部２５は装置本体から着脱可能な構成になっており、装置本体から取り外すことによりハンディスキャナとして使用できる構成となっている。
【００５１】
次に読取部２５の着脱について説明する。まず読取部２５をハンディスキャナとして使用する場合、図４に示す読取部２５の突出部２５ａを下方向に押して、読取部２５を図４の装置本体斜め下方向に引抜くことにより、読取部２５を装置本体から取り外す構成となっている。
【００５２】
また読取部２５を装置本体に装着する場合には、取り外す時と逆に読取部２５を、装置手前から装置本体に向けて押し込むことにより、読取部２５を装着する構成となっている。
【００５３】
次に記録シート１１の搬送について説明する。図２において記録シート挿入口２に記録シート１１が挿入されると、記録シート有無検知センサー７により装置の制御部へ信号が送られ、装置は記録シート有りの状態であることを認識する。
【００５４】
ここで、操作部４上のキーを押下することにより、図示されていない記録シート駆動系が作動し、記録シート１１は記録シート分離ローラ２７により一枚ずつ分離される。
【００５５】
記録シート分離ローラ２７により分離された記録シート１１は記録シート搬送路２８に対して互いに対向した位置に配置された記録シート搬送ローラ２９ａ，２９ｂからなる記録シート搬送ローラ対２９まで搬送され、さらに記録シート１１は記録シート搬送ローラ対２９により記録シート搬送路２８を画像記録位置３０まで搬送され、この位置で記録シート１１の搬送は一旦停止され、画像記録位置３０に保持される。
【００５６】
画像記録位置３０において記録シート搬送路２８に対して上方に配置されたインクジェット記録ヘッドの記録部３１の吐出口からインクが吐出され、記録シート１１の画像記録面にインク滴が付着することにより画像が形成される。
【００５７】
そして、１ライン分の画像記録が終了すると記録シート搬送ローラ対２９が再び回転し記録シート１１は図２において左方向に搬送され、記録シート１１が一定量搬送されると再び記録シート１１の搬送が停止され、次ラインの画像記録が行われる。
【００５８】
以上の行程を繰り返すことにより記録シート１枚分の画像記録が終了すると、記録シート１１は記録シート搬送路２８に対して互いに対向した位置に配置された記録シート排出ローラ３２ａ，３２ｂからなる記録シート排出ローラ対３２により記録シート排出口３３より機外に排出される構成となっている。
【００５９】
ここで、記録シート搬送路２８は原稿搬送路１９と同様に水平に対して傾きを持っており、記録シートガイド１２は記録シート後端部を適切にガイドして記録シート搬送全般において安定した搬送性を実現する構成となっている。
【００６０】
インクカートリッジ３６は、インクタンクを内蔵し、インクが無くなったときに新品と交換し得るカートリッジ式の記録ヘッドである。インクカートリッジ３６にはモノクロ記録専用の記録ヘッドを備えたカートリッジとカラー記録用の記録ヘッドを備えたカートリッジの２種類があり、どちらにも適宜交換可能である。この実施形態において、モノクロ記録専用の記録ヘッドは、解像度が３６０ＤＰＩであり、１２８個のノズルを１列に配したノズル列をもち、ノズル内に設けた電気熱変換素子の発熱によってインク中に生じた膜沸騰の圧力によってノズル先端の吐出口よりインクを吐出する。一方、カラー記録用の記録ヘッドは、黒インク吐出用のノズルとカラーインク吐出用のノズルとが分かれており、黒インク吐出用として６４個のノズルを、また、カラーインク（シアン、マゼンタ、イエロ）吐出用のノズルとして上記３色のインクに対応してそれぞれ２４個ずつのノズルを持っている。また、これらのノズルは１列に配列された構造となっている。
【００６１】
インクカートリッジ３６に与えられる記録信号や電力は、フレキシブルケーブルによって装置本体の電気回路より供給されている。インクカートリッジ３６とフレキシブルケーブルとは互いの接点を圧接して接続しており、インクカ―とリッジ３６の特定の接点間の開放／接続を検出することでモノクロ記録専用のカートリッジが装着されているか或いはカラー記録用のカートリッジが装着されているかを図示しない制御基板上のＣＰＵが認識可能な構成となっている。
【００６２】
次に本発明の特徴である記録ヘッドのインクカートリッジ３６の交換方法について説明する。インクカートリッジを交換するためには使用者が交換しようとした際に、インクカートリッジ３６をユーザが交換できる位置（ユーザの手が届く位置）に移動させる機能が必要である。本装置では操作部４上のインクカートリッジ交換ボタン２１３を使用者が押下すると、ＣＰＵは記録動作を停止させ、インクカートリッジ３６を装置左側のカートリッジ交換カバー４０の下に移動させることにより上記機能を満たしている。
【００６３】
使用者がインクカートリッジを交換する順序は以下のようになる。
【００６４】
使用者がインクカートリッジキー２１３を押下すると、ＣＰＵは図示しないキャリッジモータを駆動させ、インクカートリッジ３６を装置左側のインクカートリッジ交換カバー４０の下に移動させる。使用者は表示部３００を回転中心３００ａを中心として上方に回転させて、カートリッジ交換カバー４０の上部を露出させる。インクカートリッジ交換カバー４０は前記スライダ５よりも装置前方の位置に、回転中心４１を中心として上方に回転させることが可能となるよう、下原稿ガイド５１に取り付けられている。使用者はインクカートリッジ交換カバー４０を上方に回転させ、インクカートリッジ３６の上部を露出させる。
【００６５】
使用者がインクカートリッジを図５の本体手前斜め上方の矢印の向きに取り出す。新品のカートリッジあるいはカラーカートリッジを矢印と逆の方向に装着する。
【００６６】
使用者が再度インクカートリッジ交換キー２１３を押下すると、ＣＰＵは図示しないキャリッジモータを駆動し、インクカートリッジ３６を装置右端のホームポジションに移動させる。使用者がカートリッジ交換カバー４０を閉じる。以上の手順でインクカートリッジの交換を行う。
【００６７】
本実施例の装置では、インクカートリッジ交換カバー４０の位置とインクカートリッジのホームポジションは装置の両端に離れて配置されている。
【００６８】
インクカートリッジ３６は印字動作が終わると、装置右端のホームポジションに移動し、待機状態に移る。
【００６９】
印字動作が終わった直後、インクカートリッジ３６の接点部やその近傍は温度が高くなる。カートリッジ交換カバー４０がホームポジションの上方にあった場合、記録動作直後に使用者がカートリッジ交換カバー４０を上部に開いて、カートリッジの温度が高くなっている箇所に触れるという事態が生じる可能性がある。上記の事態を防ぐため、インクカートリッジ交換カバー４０の位置とインクカートリッジのホームポジションは装置の両端に離れて配置されている。
【００７０】
以上説明したように、インクカートリッジ交換方式のインクジェットプリンタを記録部に有するファクシミリ装置において、インクカートリッジの交換ポジションを表示部の下方に配置し、表示部を回動可能であり、カートリッジ交換カバーをインクカートリッジ交換ポジションの上方かつ表示部の下方に配置したことで、インクカートリッジを交換する際、操作部全体を持ち上げることなく、表示部とカートリッジ交換蓋のみを上方に回転させることでインクカートリッジを交換することが可能である。
【００７１】
またインクカートリッジ交換時に操作部を上方に回転させる必要がないため、操作部の保持機構、ダンパ機能を省くことが出来、コストの低い装置を提供することが出来る。
【実施例２】
【００７２】
本実施例は実施例１に対して、表示部と操作キーの位置関係のみ異なる。
【００７３】
図７に本実施例の形態に係るファクシミリ装置を示す斜視図を示し、図８に本実施例の形態に係るファクシミリ装置の表示部を起こしたときの装置斜視図を示す。
【００７４】
図において３００が表示部であり、受話装置の右側に位置している。
【００７５】
３１０は操作キーであり、表示部の右側かつ装置の右側にまとまって配置されている。操作キー３１０がまとまって配置されていることにより、操作ボタンがどこに配置されているか装置全体を眺めて調べる必要はなく、探すのが容易である。
【００７６】
また表示部３００の右に操作キー３１０が、表示部３００の左に受話装置２１８が配置されていることにより、左手で受話装置を持ち、右手で表示部３００を見ながら操作キー３１０を押下する操作が容易であり、便利な構成となっている。
【００７７】
本実施例においても、カートリッジ交換の方法は実施例１と同じく、表示部３００を上方に回転させ、その下にあるカートリッジカバー４０を上方に回転させてインクカートリッジ３６上部を露出させ、インクカートリッジ３６を装置斜め前方に引き抜き交換作業を行う構成となっている。
【００７８】
以上説明したように、インクカートリッジ交換方式のインクジェットプリンタを記録部に有するファクシミリ装置において、インクカートリッジの交換ポジションを表示部の下方に配置し、表示部を回動可能であり、カートリッジ交換蓋をインクカートリッジ交換ポジションの上方かつ表示部の下方に配置したことで、インクカートリッジを交換する際、操作部全体を持ち上げることなく、表示部とカートリッジ交換蓋のみを上方に回転させることでインクカートリッジを交換することが可能である。インクカートリッジ交換時に操作部全体を上方に回転させる必要がないため、操作部の保持機構、ダンパ機能を省いたコストの低い装置を提供することが出来る。さらに表示部の左かつ装置の左端に受話装置を表示部の右に操作キーをまとめて配置したことにより、操作キーを探すのが容易であり、表示部を見ながらの操作が容易な構成となっている。
【実施例３】
【００７９】
本実施例は実施例２の表示部３００に操作キーとしての機能を搭載した装置であり、その他の部分は前記までの実施例と同じ構成である。
【００８０】
図９（ａ）に表示部３００の構成の概略図を示す。表示部３００はＬＣＤ（液晶表示装置）３０１とＬＣＤ３０１の表面上に設けられた透明なタッチパネルキーアレイ３０２と図示しない外装部材から構成される。
【００８１】
本実施例の表示部３００はＬＣＤ（３０１）の上面にそれとほぼ同面積の同面積のタッチパネル３０２が積載される。このタッチパネル３０２はＬＣＤ上に描かれた文字や記号に対応する複数のマトリックス領域（同図に一点鎖線で図示）を有しており、その中のある領域を押すと、その領域に描かれている記号に対応した入力を生じるように構成されたものである。使用者は、このタッチパネル３０２を用い、ＬＣＤ３０１に表示された記号をスイッチとして、タッチパネル３０２上の領域を押すことにより操作を行うことが出来る。
【００８２】
図９（ｂ）図にタッチパネルを使用した表示部３００の一例を示す。この図では、ＬＣＤの上部を情報表示領域３０３、下部を操作キー表示領域３０４と割り当てている。一例として受信した画像をＬＣＤ３０２上で確認する場合の操作について説明する。この例の場合、操作キー表示領域３０４に、４個の矢印キー（←→↑↓）、拡大キーおよび縮小キーが割り当てられている。
【００８３】
装置１が画像を受信すると、表示部３００の情報表示領域３０３に受信画像が表示される。表示された画像内の文字が小さくて読みにくい場合は、操作キー領域３０４内の拡大キーの領域を押下して情報表示領域３０３内の画像を拡大表示させる。拡大させた画像が大きすぎて判別しにくい場合には操作キー領域３０４内の縮小キー領域を押下して画像を縮小して表示させる。操作キー領域３０４内の矢印キーは情報表示領域３０３内に全画像が表示できない場合などに使用する。拡大キー領域を押下して、情報表示領域３０３内に画像の左上部を拡大表示させた場合、右矢印（→）キー領域を押下することにより画像の右側を拡大表示、次に下矢印キー（↓）領域を押すと画像の右下側を拡大表示、次に左矢印キー（←）領域を押下すると画像の左下側を拡大表示する、といった使い方が出来る。
【００８４】
以上述べたように、表示部３００上にタッチパネル３０２を使用して操作キーの機能を割り当てることで、使用する機能に応じた操作キーを表示部３００上に表示し、割り当てることが出来る。使用者が操作に必要なキー操作部全体を探して迷うことがなく、使用者が容易に操作方法や使用するキーを判別することが出来るといった利点がある。
【図面の簡単な説明】
【００８５】
【図１】実施例１の形態に係るファクシミリ装置を示す斜視図である。
【図２】実施例１の形態に係るファクシミリ装置を示す略断面図である。
【図３】実施例１の形態に係るファクシミリ装置の読取部を取り出したときの略断面図である。
【図４】実施例１の形態に係るファクシミリ装置の表示部を起こしたときの装置斜視図である。
【図５】実施例１の形態に係るファクシミリ装置のインクカートリッジ取り出し時の装置斜視図である。
【図６】実施例１の形態に係るファクシミリ装置のインクカートリッジ取り出し時の装置略断面図である。
【図７】実施例２の形態に係るファクシミリ装置を示す斜視図である。
【図８】実施例２の形態に係るファクシミリ装置の表示部を起こしたときの装置斜視図である。
【図９】実施例３の形態に係るファクシミリ装置の表示部の略概念図である。
【図１０】従来例のインクジェットプリンタ装置を記録部に有するファクシミリ装置の略斜視図である。
【図１１】従来例のインクジェットプリンタ装置を記録部に有するファクシミリ装置の略断面図である。
【図１２】従来例のインクジェットプリンタ装置を記録部に有するファクシミリ装置のインクカートリッジ取り出し時の斜視図である。
【図１３】従来例のインクジェットプリンタ装置を記録部に有するファクシミリ装置のインクカートリッジ取り出し時の略断面図である。
【符号の説明】
【００８６】
１  ファクシミリ装置
２  記録シート挿入口
３  原稿挿入口
４  操作部
５  原稿幅規制ガイド
６  記録シート幅規制ガイド
７  記録シート有無検知センサー
１０  原縞
１１  記録シート
１２ａ  記録シートカバー
１７  原稿分離ローラ
１９  原稿搬送路
２０  原稿給紙ローラ対
２０ａ  原稿給紙ローラ
２０ｂ  原稿給紙コロ
２１  押圧ばね
２２  読取デバイス
２３  原稿排紙ローラ対
２３ａ  原稿排紙ローラ
２３ｂ  原稿排紙コロ
２４  原稿排出口
２５  読取部
２７  記録シート分離ローラ
２８  記録シート搬送路
２９  記録シート搬送ローラ対
３０  画像記録位置
３１  記録部
３２  記録シート排出ローラ対
３３  記録シート排出口
３６  インクカートリッジ
４０  インクカートリッジ交換カバー
２０１  ダイヤルキー
２０２  決定キー
２０３  選択キー
２０５  ストップキー
２０６  消去キー
２０７  ＰＣプリントキー
２０８  コピーキー
２０９  ファクシミリ送信キー
２１０  ファクシミリ受信プリントキー
２１１  オンフックキー
２１３  インクカートリッジ交換キー
２１８  受話器
３００  表示部
３０１  ＬＣＤ（液晶表示装置）
３０２  タッチパネルアレイ
３０３  画像表示領域
３０４  操作キー表示領域
３１０  操作キー
２０００  従来例のファクシミリ装置
２００１  従来例のファクシミリ装置の操作部
２００２  従来例のファクシミリ装置の読取部
２００３  従来例のファクシミリ装置の記録部
２００４  従来例のファクシミリ装置のカートリッジ交換カバー
２００５  従来例のファクシミリ装置のインクカートリッジ
【図１】
2006245766.tif 000003
【図２】
2006245766.tif 000004
【図３】
2006245766.tif 000005
【図４】
2006245766.tif 000006
【図５】
2006245766.tif 000007
【図６】
2006245766.tif 000008
【図７】
2006245766.tif 000009
【図８】
2006245766.tif 000010
【図９】
2006245766.tif 000011
【図１０】
2006245766.tif 000012
【図１１】
2006245766.tif 000013
【図１２】
2006245766.tif 000014
【図１３】
2006245766.tif 000015